(57)【要約】      （修正有）【課題】パワーデバイスなどの発熱性電子部品の放熱部材として好適に用いられ、特にプリント配線板の絶縁層、熱インターフェース材及び自動車用インホイールモーターやパワーモジュールに用いられる、熱抵抗及び接着性に優れた放熱部材の提供。【解決手段】窒化ホウ素粒子が３次元に結合した窒化ホウ素焼結体（１）３０〜９０体積％と樹脂（２）７０〜１０体積％からなり、窒化ホウ素焼結体の気孔率が１０〜７０％、窒化ホウ素焼結体の窒化ホウ素粒子の平均長径が１０μｍ以上、粉末Ｘ線回折法による黒鉛化指数（ＧＩ、Ｇｒａｐｈｉｔｉｚａｔｉｏｎ  Ｉｎｄｅｘ）が４．０以下であり、窒化ホウ素焼結体の窒化ホウ素粒子のＩ．Ｏ．Ｐ．（Ｔｈｅ  Ｉｎｄｅｘ  ｏｆ  Ｏｒｉｅｎｔａｔｉｏｎ  Ｐｅｒｆｏｒｍａｎｃｅ）による配向度が０．０１〜０．０５又は２０〜１００であり、貫通穴を有し、貫通穴の部位が樹脂で充填された樹脂含浸窒化ホウ素焼結体。【選択図】図１
2015124122.tif 000002
【特許請求の範囲】
【請求項１】
窒化ホウ素粒子が３次元に結合した窒化ホウ素焼結体３０〜９０体積％と樹脂７０〜１０体積％からなり、窒化ホウ素焼結体の気孔率が１０〜７０％、窒化ホウ素焼結体の窒化ホウ素粒子の平均長径が１０μｍ以上、粉末Ｘ線回折法による黒鉛化指数（ＧＩ、Ｇｒａｐｈｉｔｉｚａｔｉｏｎ  Ｉｎｄｅｘ）が４．０以下であり、窒化ホウ素焼結体の窒化ホウ素粒子の下式のＩ．Ｏ．Ｐ．（Ｔｈｅ  Ｉｎｄｅｘ  ｏｆ  Ｏｒｉｅｎｔａｔｉｏｎ  Ｐｅｒｆｏｒｍａｎｃｅ）による配向度が０．０１〜０．０５又は２０〜１００であり、貫通穴を有し、貫通穴の部位が接着性を有する樹脂で充填された樹脂含浸窒化ホウ素焼結体。
Ｉ．Ｏ．Ｐ．は、窒化ホウ素焼結体の高さ方向に平行方向から測定した面のＸ線回析の（００２）回析線と（１００）回析線との強度比、および上記焼結体の高さ方向に垂直方向から測定した面のＸ線回析の（００２）回析線と（１００）回析線との強度比から下式で算出される。
Ｉ．Ｏ．Ｐ．＝（Ｉ１００／Ｉ００２）ｐａｒ．／（Ｉ１００／Ｉ００２）ｐｅｒｐ．
【請求項２】
貫通穴を有し、貫通穴の部位が樹脂で充填された樹脂含浸窒化ホウ素焼結体の高さ方向から測定したショア硬度が２５ＨＳ以下である請求項１に記載の樹脂含浸窒化ホウ素焼結体。
【請求項３】
窒化ホウ素粒子が３次元に結合した窒化ホウ素焼結体の高さ方向に対して窒化ホウ素粒子の１００面（ａ軸）が配向し、貫通穴を有する前の窒化ホウ素焼結体の高さ方向より測定した曲げ強さが３〜１５ＭＰａ、熱伝導率が４０〜１１０Ｗ／（ｍ・Ｋ）である請求項１又は２に記載の樹脂含浸窒化ホウ素焼結体。
【請求項４】
窒化ホウ素粒子が３次元に結合した窒化ホウ素焼結体の高さ方向に対して窒化ホウ素粒子の００２面（ｃ軸）が配向し、貫通穴を有する前の窒化ホウ素焼結体の高さ方向より測定した曲げ強さが１０〜４０ＭＰａ、熱伝導率が１０〜４０Ｗ／（ｍ・Ｋ）以下である請求項１又は２に記載の樹脂含浸窒化ホウ素焼結体。
【請求項５】
貫通穴を有し、貫通穴の部位が樹脂で充填された樹脂含浸窒化ホウ素焼結体の平面方向の断面観察において、貫通穴の総面積Ｓｅと貫通穴を含む樹脂含浸窒化ホウ素焼結体の総面積Ｓｂとの比（Ｓｅ／Ｓｂ）が０．３〜０．７である請求項１〜４のいずれか一項に記載の樹脂含浸窒化ホウ素焼結体。
【請求項６】
貫通穴径が０．０３ｍｍ〜２．０ｍｍである請求項１〜５のいずれか一項に記載の樹脂含浸窒化ホウ素焼結体。
【請求項７】
請求項１〜６のいずれか一項に記載の樹脂含浸窒化ホウ素焼結体を用いた放熱部材。
【請求項８】
請求項７に記載の放熱部材を用いたパワーモジュール。
【発明の詳細な説明】
【技術分野】
【０００１】
本発明は、樹脂含浸窒化ホウ素焼結体及びそれを用いた放熱部材に関するものである。
【背景技術】
【０００２】
ハイブリット自動車等に使用されているパワーコントロールユニットでは、小型化と高出力化が要求されており、更にはインホイールモーター等の開発も進んでいる。それらを実現するための方法として次世代パワーデバイスの搭載が提案され、その中でグリスレスにて低熱抵抗を実現した自己（直接）接着型の放熱部材が必要となっている。
【０００３】
一般的な放熱工程として、パワー素子から発生した熱を放熱板、セラミックス絶縁板を経由し、水冷された冷却板に伝えることで放熱が行われる。ここで、セラミックス絶縁板としては、窒化アルミニウム焼結体や窒化珪素焼結体が使われているが、これらセラミックス焼結体は、熱伝導率は高いが表面が硬質であるため、冷却板との間にミクロ的な空間が存在し界面熱抵抗が高くなる。熱抵抗を低減するため、放熱グリース等の軟質なスペーサーを介して冷却板と密着させる必要があった。しかし、放熱グリースは熱伝導率が低いため、実装時における熱伝導率の低下を招き、また、グリースを均質に塗布する必要性やべたつく為にハンドリング性が悪いなどの問題があった。加えて、デバイスの小型化に向けてネジ止め等が必要ない自己接着型の放熱部材が求められている。しかし、従来のセラミックス絶縁板の両主面に接着層を塗布する方法では、熱伝導率が大幅に低減するという問題があった。
【０００４】
以上のような背景により、（１）高熱伝導率、（２）高絶縁性等、電気絶縁材料として優れた性質を有している六方晶窒化ホウ素（ｈｅｘａｇｏｎａｌ  Ｂｏｒｏｎ  Ｎｉｔｒｉｄｅ）粉末が注目されている。しかし、窒化ホウ素は、面内方向（ａ軸方向）の熱伝導率が１００Ｗ／（ｍ・Ｋ）であるのに対して、厚み方向（ｃ軸方向）の熱伝導率が２Ｗ／（ｍ・Ｋ）であり、結晶構造と鱗片形状に由来する熱伝導率の異方性が大きい。そのため、例えば、熱インターフェース材の製造時に、窒化ホウ素粒子の面内方向（ａ軸方向）と熱インターフェース材の厚み方向が垂直になり、窒化ホウ素粒子の面内方向（ａ軸方向）の高熱伝導率を十分に活かすことができなかった。一方、窒化ホウ素粒子の面内方向（ａ軸方向）と熱インターフェース材の厚み方向と平行にすることで、窒化ホウ素粒子の面内方向（ａ軸方向）の高熱伝導率を達成できるが、厚み方向に対する応力に弱いという欠点が挙げられる。また、実装時にグリースや接着層を介することで放熱特性が低下するという問題も挙げられる。
【０００５】
特許文献１ではセラミックスや金属などの高剛性粒子が体積割合において４〜９割であり、且つ３次元的に互いに接触した樹脂複合材およびその製造方法が開示されている。そして、ワイヤーソーローラーに代表される摺動部材や歯車などの機械部品において好適に用いることができることが記載されている。
【０００６】
また、特許文献２では少なくともフォルステライト及び窒化ホウ素を主成分として含み、窒化ホウ素が一方向に配向している焼結体であるセラミックス部材、セラミックス部材を用いて形成されるプローブホルダ、及びセラミックス部材の製造方法が開示されている。そして、半導体検査や液晶検査に用いられるマイクロコンタクタにおいて、検査対象の回路構造と検査用の信号を送出する回路構造とを電気的に接続するプローブを挿入するプローブホルダの材料として好適に用いることができることが記載されている。
【０００７】
特許文献３では、形状または熱伝導率の異方性の大きい充填材を、熱硬化性樹脂材料に混合して分散させ、前記熱硬化性樹脂を硬化させ、硬化した熱硬化性樹脂を粉砕し、充填材の分散した熱硬化性樹脂を熱可塑性樹脂と混合して成形体用樹脂組成物とし、該樹脂組成物を加熱して軟化させ所望の形状に成形する方法が開示されている。
【０００８】
特許文献４、５では、窒化アルミ−窒化硼素複合体（ＡｌＮ−ＢＮ）、アルミナ−窒化硼素複合体（Ａｌ２Ｏ３−ＢＮ）、酸化ジルコン−窒化硼素複合体（ＺｒＯ２−ＢＮ）、窒化珪素−窒化硼素複合体（Ｓｉ３Ｎ４−ＢＮ）、六方晶窒化硼素（ｈ−ＢＮ）、β−ウォラストナイト（β−ＣａＳｉＯ３）、雲母およびシラスからなる群から選択されたもの無機連続気孔体に熱硬化性樹脂（II）を含浸し、硬化させた板状体とすることを特徴とするプリント配線用基板の製造法が開示されている。そして、高周波用や半導体チップの直接搭載用などとして好適に用いることができることが記載されている。
【０００９】
特許文献６では、多孔質ポリイミドシートを出発原料として合成された三次元骨格構造を持ち、グラファイト構造を持つＢ−Ｃ−Ｎ系の多孔体と、その気孔部に樹脂を含浸して複合材料とした放熱材料について開示されている。通常の炭素多孔体に樹脂を含浸させたものよりも熱抵抗が小さく、多孔体をｈ−ＢＮに転化させることで絶縁性の複合材料となり、熱抵抗が小さく絶縁性が必要とされる電子部品の冷却用材料として有望であることが記載されている。
【先行技術文献】
【特許文献】
【００１０】
【特許文献１】特開２００２−２１２３０９号公報
【特許文献２】特開２０１０−２７５１４９号公報
【特許文献３】特開２００８−２４８０４８号公報
【特許文献４】特開平５−２９１７０６号公報
【特許文献５】特開平６−１５２０８６号公報
【特許文献６】特開２０１０−１５３５３８号公報
【発明の概要】
【発明が解決しようとする課題】
【００１１】
しかしながら、特許文献１の方法ではセラミックスや金属などが３次元的に互いに接触させた成形物に対して、樹脂を含浸させることで耐摩耗性や電気絶縁性の向上を図っているが、熱伝導率の向上に関しては、十分ではなかった。
【００１２】
特許文献２では、少なくともフォルステライト及び窒化ホウ素を主成分として含み、窒化ホウ素が一方向に配向している焼結体であるセラミックス部材、セラミックス部材を用いて形成されるプローブホルダ、及びセラミックス部材の製造方法が提案され、快削性と共に、シリコンに近い熱膨張係数を有し、高い強度を備えたセラミックス部材が提案されているが、熱伝導率の向上に関しては、十分ではなかった。
【００１３】
特許文献３の方法では、熱伝導率は最高５．８Ｗ／（ｍ・Ｋ）と低いことに加え、一旦作成した熱硬化性樹脂を粉砕し、再度混合・軟化させる過程を経るため、不純物の混入や樹脂の軟化状態の均一性に起因する信頼性の観点で課題があった。
【００１４】
特許文献４、５では、焼結体窒化ホウ素単体への樹脂含浸の記載はなく、熱伝導率は最高４５Ｗ／（ｍ・Ｋ）でありながら曲げ強度が２８ＭＰａと低く、高熱伝導率と高強度の実現が困難である。
【００１５】
特許文献６では、シートの厚みが１００μｍ以下であり、樹脂の軟化状態の均一性や耐湿状態における窒化ホウ素に起因する信頼性の観点で課題があった。
【００１６】
従来技術の放熱部材は、窒化ホウ素等のセラミックス粉末と樹脂の混合工程、押し出し成形工程やコーティング工程、加熱プレス工程等を経て製造されているため、３次元的に窒化ホウ素を接触させた構造を有することが困難であるため、熱伝導率の向上には限界があった。また、球状粒子である酸化アルミニウム粉末や酸化ケイ素粉末等を用いた場合においても、これらセラミックス粉末は熱伝導率が２０〜３０Ｗ／ｍＫ程度と窒化ホウ素に比べて低いことに加え、粒子が硬質であるため装置や金型を摩耗させる問題があった。また、従来技術で製造される放熱部材では、熱伝導率を高めるために窒化ホウ素等のセラミックス粉末の充填量を６０質量％程度まで増加させる必要があるが、本手法はコストの増大を招くため、放熱部材のコストと性能と両立することが困難であった。また、結晶粒子が三次元網目構造に結合しており、開気孔を有するセラミックスに樹脂を含浸した加工性、強度に優れる回路基板の製造方法は公知である。しかし、熱伝導率を寄与する場合には窒化ホウ素等を添加するとの記載はあるものの、高熱伝導と曲げ強さを実現することは困難であった。さらに、窒化アルミニウム焼結体や窒化珪素焼結体によるセラミックス焼結体は、熱伝導率は高いが表面が硬質であるため、冷却板との間にミクロ的な空間が存在し界面熱抵抗が高くなる。熱抵抗を低減するため、放熱グリース等の軟質なスペーサーを介して冷却板と密着させる必要があった。しかし、放熱グリースは熱伝導率が低いため、実装時における熱伝導率の低下を招き、また、グリースを均質に塗布する必要性やべたつく為にハンドリング性が悪いなどの問題があった。加えて、デバイスの小型化に向けてネジ止め等が必要ない自己接着型の放熱部材が求められている。しかし、従来のセラミックス絶縁板の両主面に接着層を塗布する方法では、熱伝導率が大幅に低減するという問題があった。
【００１７】
これらの課題に対し、本発明では放熱性を重視したものであり、複合化により熱伝導率と強度を改善している。具体的には窒化ホウ素焼結体内部の空隙に樹脂を含浸し、板状に切り出して放熱部材を製造することで、配向を任意の方向に制御することが可能となり、熱伝導率に優れた任意の厚みの放熱部材を作製する事が容易となり、湿度や熱サイクルに対する高い信頼性が得られる放熱部材の作成が可能である。また、窒化ホウ素の充填量が比較的低い場合においても、３次元的に窒化ホウ素を接触させた構造を有する為に熱伝導率に優れた放熱部材を作成することが可能である。また、本発明の樹脂含浸窒化ホウ素焼結体は、モース硬度２と柔らかいセラミックスである窒化ホウ素と、樹脂から構成されているため、モース硬度９の窒化珪素等の硬いセラミックスに比べ界面熱抵抗を低減することが可能である。加えて、樹脂含浸窒化ホウ素焼結体中に貫通穴を設け、そこへ接着性を有する樹脂を充填することにより接着性を確保し且つ、ヒーターから発生した熱を効率よくヒートシンク等へ放熱することが出来る。つまり表面に低熱伝導率である接着性を有する樹脂層を付与または放熱グリースの塗布の必要性がないため、非常に高熱伝導率を実現することが出来る。また、接着性を有する樹脂層または放熱グリースを均質に塗布する必要性がないため、生産工程においてもメリットがある。さらに、放熱グリースに対しては、本発明は接着性を有する為、ネジ止めやバネ等により挟み込む必要がなく軽量化が見込める。しかし、このような観点に立った技術の提案は今まで見られない。
【００１８】
本発明は、パワーデバイスなどの発熱性電子部品の放熱部材として好適に用いられ、特にプリント配線板の絶縁層、熱インターフェース材及び自動車用インホイールモーターやパワーモジュールに用いられる、熱抵抗及び接着性に優れた放熱部材を提供することにある。
【課題を解決するための手段】
【００１９】
上記の課題を解決するために、本発明においては、以下の手段を採用する。
（１）窒化ホウ素粒子が３次元に結合した窒化ホウ素焼結体３０〜９０体積％と樹脂７０〜１０体積％からなり、窒化ホウ素焼結体の気孔率が１０〜７０％、窒化ホウ素焼結体の窒化ホウ素粒子の平均長径が１０μｍ以上、粉末Ｘ線回折法による黒鉛化指数（ＧＩ、Ｇｒａｐｈｉｔｉｚａｔｉｏｎ  Ｉｎｄｅｘ）が４．０以下であり、窒化ホウ素焼結体の窒化ホウ素粒子の下式のＩ．Ｏ．Ｐ．（Ｔｈｅ  Ｉｎｄｅｘ  ｏｆ  Ｏｒｉｅｎｔａｔｉｏｎ  Ｐｅｒｆｏｒｍａｎｃｅ）による配向度が０．０１〜０．０５又は２０〜１００であり、貫通穴を有し、貫通穴の部位が樹脂で充填された樹脂含浸窒化ホウ素焼結体。
Ｉ．Ｏ．Ｐ．は、窒化ホウ素焼結体の高さ方向に平行方向から測定した面のＸ線回析の（００２）回析線と（１００）回析線との強度比、および上記焼結体の高さ方向に垂直方向から測定した面のＸ線回析の（００２）回析線と（１００）回析線との強度比から下式で算出される。
Ｉ．Ｏ．Ｐ．＝（Ｉ１００／Ｉ００２）ｐａｒ．／（Ｉ１００／Ｉ００２）ｐｅｒｐ．
（２）貫通穴を有し、貫通穴の部位が樹脂で充填された樹脂含浸窒化ホウ素焼結体の高さ方向から測定したショア硬度が２５ＨＳ以下である前記（１）に記載の樹脂含浸窒化ホウ素焼結体。
（３）窒化ホウ素粒子が３次元に結合した窒化ホウ素焼結体の高さ方向に対して窒化ホウ素粒子の１００面（ａ軸）が配向し、貫通穴を有する前の窒化ホウ素焼結体の高さ方向より測定した曲げ強さが３〜１５ＭＰａ、熱伝導率が４０〜１１０Ｗ／（ｍ・Ｋ）である前記（１）又は（２）に記載の樹脂含浸窒化ホウ素焼結体。
（４）窒化ホウ素粒子が３次元に結合した窒化ホウ素焼結体の高さ方向に対して窒化ホウ素粒子の００２面（ｃ軸）が配向し、貫通穴を有する前の窒化ホウ素焼結体の高さ方向より測定した曲げ強さが１０〜４０ＭＰａ、熱伝導率が１０〜４０Ｗ／（ｍ・Ｋ）以下である前記（１）又は（２）に記載の樹脂含浸窒化ホウ素焼結体。
（５）貫通穴を有し、貫通穴の部位が樹脂で充填された樹脂含浸窒化ホウ素焼結体の平面方向の断面観察において、貫通穴の総面積Ｓｅと貫通穴を含む樹脂含浸窒化ホウ素焼結体の総面積Ｓｂとの比（Ｓｅ／Ｓｂ）が０．３〜０．７である前記（１）〜（４）のいずれか一項に記載の樹脂含浸窒化ホウ素焼結体。
（６）貫通穴径が０．０３ｍｍ〜２．０ｍｍである前記（１）〜（５）のいずれか一項に記載の樹脂含浸窒化ホウ素焼結体。
（７）前記（１）〜（６）のいずれか一項に記載の樹脂含浸窒化ホウ素焼結体を用いた放熱部材。
（８）前記（７）に記載の放熱部材を用いたパワーモジュール。
【発明の効果】
【００２０】
本発明により、熱抵抗及び接着性に優れた放熱部材が得られるという効果を奏する。
【図面の簡単な説明】
【００２１】
【図１】に本発明のモデル図を示す。
【発明を実施するための形態】
【００２２】
本発明では、窒化ホウ素焼結体と樹脂からなる複合体を「樹脂含浸窒化ホウ素焼結体」、樹脂含浸窒化ホウ素焼結体の樹脂を灰化させて得た成形体を「窒化ホウ素成型体」と定義する。窒化ホウ素成形体は、樹脂含浸窒化ホウ素焼結体を大気中６５０〜１０００℃で１ｈｒ焼成し、樹脂成分を灰化させることで得ることができる。また、一次粒子同士が焼結により結合した状態で２個以上集合した状態を「窒化ホウ素焼結体」と定義する。焼結による結合は、走査型電子顕微鏡（例えば「ＪＳＭ−６０１０ＬＡ」（日本電子社製））を用いて、窒化ホウ素粒子の断面の一次粒子同士の結合部分を観察することにより評価することができる。観察の前処理として、窒化ホウ素粒子を樹脂で包埋後、ＣＰ（クロスセクションポリッシャー）法により加工し、試料台に固定した後にオスミウムコーティングを行った。観察倍率は１５００倍である。
【００２３】
本発明の樹脂含浸窒化ホウ素焼結体を用いた放熱部材は、特定のＩ．Ｏ．Ｐ．（Ｔｈｅ  Ｉｎｄｅｘ  ｏｆ  Ｏｒｉｅｎｔａｔｉｏｎ  Ｐｅｒｆｏｒｍａｎｃｅ）で表される配向度を有し、窒化ホウ素粒子の平均長径を制御した窒化ホウ素焼結体に、特定量の樹脂を含浸することにより、従来の技術では達成できなかった、熱抵抗及び接着性に優れた放熱部材を得ることができるものである。
【００２４】
本発明の窒化ホウ素焼結体は、Ｉ．Ｏ．Ｐ．（Ｔｈｅ  Ｉｎｄｅｘ  ｏｆ  Ｏｒｉｅｎｔａｔｉｏｎ  Ｐｅｒｆｏｒｍａｎｃｅ）で表される配向度が０．０１〜０．０５又は２０〜１００、粉末Ｘ線回折法による黒鉛化指数（ＧＩ、Ｇｒａｐｈｉｔｉｚａｔｉｏｎ  Ｉｎｄｅｘ）が４．０以下、気孔率が１０〜７０％であり、窒化ホウ素焼結体の窒化ホウ素粒子の平均長径が１０μｍ以上の３次元に結合した組織を有する窒化ホウ素からなる。このように設計された窒化ホウ素焼結体はこれまで存在せず、高い熱伝導率と高強度を確保するために非常に重要な因子である。
【００２５】
さらに、本発明の樹脂含浸窒化ホウ素焼結体のショア硬度を２５ＨＳ以下に制御することにより、靭性に優れ、荷重環境下においてもグリースを用いることなく、熱抵抗の低減を図ることができる。
【００２６】
従来技術との大きな違いとして、本発明の樹脂含浸窒化ホウ素焼結体は、窒化ホウ素粒子が焼結により３次元に結合した窒化ホウ素焼結体からなることである。３次元の結合はＳＥＭ等で観察されるような単なる接触ではなく、樹脂含浸窒化ホウ素焼結体の樹脂成分を灰化させて得た窒化ホウ素成型体の３点曲げ強さ及び熱伝導率を測定することにより評価することができる。窒化ホウ素粉末と樹脂とを混合して製造される従来の樹脂含浸窒化ホウ素焼結体は、窒化ホウ素同士の３次元な結合力が弱いため樹脂成分の灰化後に残存した窒化ホウ素は、粉体化して形状を保つことができず、または形状を保った場合においても
３点曲げ強さ及び熱伝導率が要求特性を満たさない。
【００２７】
＜平均長径＞
窒化ホウ素焼結体中の窒化ホウ素粒子の平均長径が１０μｍ以上である。１０μｍより小さいと窒化ホウ素焼結体の気孔径が小さくなり樹脂含浸が不完全状態となるために、窒化ホウ素焼結体自身の強度は向上するものの、樹脂による強度増加の効果が小さくなり、樹脂含浸窒化ホウ素焼結体としての強度は低下する。また、鱗片状窒化ホウ素粒子同士の接触点数が増加し、結果として樹脂含浸窒化ホウ素焼結体の熱伝導率が低下する。平均長径の上限については特に制限はないが、鱗片状窒化ホウ素粒子の平均長径を５０μｍ以上にすることは難しく、上限としては、５０μｍ程度が実際的である。
【００２８】
＜平均長径の定義・評価方法＞
平均長径は、観察の前処理として、窒化ホウ素焼結体を樹脂で包埋後、ＣＰ（クロスセクションポリッシャー）法により加工し、試料台に固定した後にオスミウムコーティングを行った。その後、走査型電子顕微鏡、例えば「ＪＳＭ−６０１０ＬＡ」（日本電子社製）にてＳＥＭ像を撮影し、得られた断面の粒子像を画像解析ソフトウェア、例えば「Ａ像くん」（旭化成エンジニアリング社製）に取り込み、測定することができる。この際の画像の倍率は１００倍、画像解析の画素数は１５１０万画素であった。マニュアル測定で、得られた任意の粒子１００個の長径を求めその平均値を平均長径とした。窒化ホウ素成形体も同様に測定を行った。
【００２９】
＜気孔率及びその評価方法＞
本発明の窒化ホウ素焼結体において、窒化ホウ素粒子が３０〜９０体積％からなる３次元に結合した組織を有することが樹脂含浸窒化ホウ素焼結体の電気絶縁性及び熱伝導率の観点から望ましい。気孔率は１０〜７０％の範囲内であることが樹脂含浸窒化ホウ素焼結体の熱伝導率を高める為に好ましい。窒化ホウ素焼結体の気孔率の測定は、窒化ホウ素焼結体の寸法と質量から求めたかさ密度（Ｄ）と窒化ホウ素の理論密度（２．２８ｇ／ｃｍ３）から、下式により求めることができる。窒化ホウ素成形体も同様に測定を行った。
かさ密度（Ｄ）＝質量／体積
窒化ホウ素焼結体の気孔率＝１−（Ｄ／２．２８）
【００３０】
＜配向度＞
本発明の窒化ホウ素焼結体において、Ｉ．Ｏ．Ｐ．（Ｔｈｅ  Ｉｎｄｅｘ  ｏｆ  Ｏｒｉｅｎｔａｔｉｏｎ  Ｐｅｒｆｏｒｍａｎｃｅ）で表される配向度が０．０１〜０．０５又は２０〜１００である。Ｉ．Ｏ．Ｐ．が０．０１〜０．０５又は２０〜１００の範囲以外では、窒化ホウ素焼結体中の窒化ホウ素結晶が無配向状態にあり、樹脂含浸窒化ホウ素焼結体の熱伝導率の異方性が小さくなり、任意の方向に対して優位な熱伝導率を得ることが困難である。配向度は、原料であるアモルファス窒化ホウ素粉末及び六方晶窒化ホウ素粉末粒子の配合量によって制御することができる。
【００３１】
＜配向度の定義及び評価方法＞
窒化ホウ素結晶のＩ．Ｏ．Ｐ．は、窒化ホウ素焼結体の高さ方向に平行方向から測定した面のＸ線回析の（００２）回析線と（１００）回析線との強度比、および上記窒化ホウ素焼結体の高さ方向に垂直方向から測定した面のＸ線回析の（００２）回析線と（１００）回析線との強度比から、下式で算出される。
Ｉ．Ｏ．Ｐ．＝（Ｉ１００／Ｉ００２）ｐａｒ．／（Ｉ１００／Ｉ００２）ｐｅｒｐ．
Ｉ．Ｏ．Ｐ．＝１の場合は、試料中の窒化ホウ素結晶の方向がランダムであることを意味する。Ｉ．Ｏ．Ｐ．が１より小さいということは、窒化ホウ素焼結体中の窒化ホウ素結晶の（１００）面、すなわち窒化ホウ素結晶のａ軸が、高さ方向と垂直に配向していることを意味し、Ｉ．Ｏ．Ｐ．が１を超えると、窒化ホウ素焼結体中の窒化ホウ素結晶の（１００）面、すなわち窒化ホウ素結晶のａ軸が、高さ方向と並行に配向していることを意味する。
Ｉ．Ｏ．Ｐ．の測定は、例えば、「Ｄ８ＡＤＶＡＮＣＥ  Ｓｕｐｅｒ  Ｓｐｅｅｄ」（ブルカー・エイエックスエス社製）を用いて測定できる。測定は、Ｘ線源はＣｕＫα線を用い、管電圧は４５ｋＶ、管電流は３６０ｍＡである。
窒化ホウ素成形体も同様に測定を行った。
【００３２】
＜黒鉛化指数（ＧＩ）＞
黒鉛化指数（ＧＩ：Ｇｒａｐｈｉｔｉｚａｔｉｏｎ  Ｉｎｄｅｘ）はＸ線回折図の（１００）面、（１０１）面及び（１０２）面のピークの積分強度比、すなわち面積比で下式によって求めることができる｛Ｊ．Ｔｈｏｍａｓ，ｅｔ．ａｌ，Ｊ．Ａｍ．Ｃｈｅｍ．Ｓｏ
ｃ．８４，４６１９（１９６２）｝。
ＧＩ＝〔面積｛（１００）＋（１０１）｝〕／〔面積（１０２）〕
完全に結晶化したものでは、ＧＩは１．６０になるとされているが、高結晶性でかつ粒子が十分に成長した鱗片形状の六方晶窒化ホウ素粉末の場合、粒子が配向しやすいためＧＩはさらに小さくなる。すなわち、ＧＩは鱗片形状の六方晶窒化ホウ素粉末の結晶性の指標であり、この値が小さいほど結晶性が高い。本発明の窒化ホウ素成形体においては、ＧＩは４．０以下が好ましい。ＧＩが４．０より大きいということは、窒化ホウ素一次粒子の結晶性が低いことを意味し、窒化ホウ素焼結体の熱伝導率が低下する。ＧＩは原料である六方晶窒化ホウ素粉末粒子の配合量及び焼成温度によって制御することができる。
【００３３】
＜黒鉛化指数（ＧＩ）の評価方法＞
ＧＩの測定は、例えば、「Ｄ８ＡＤＶＡＮＣＥ  Ｓｕｐｅｒ  Ｓｐｅｅｄ」（ブルカー・エイエックスエス社製）を用いて測定できる。測定の前処理として、窒化ホウ素焼結体をメノウ乳鉢により粉砕し、得られた窒化ホウ素粉末をプレス成型した。Ｘ線は、成型体の面内方向の平面の法線に対して、互いに対称となるように照射した。測定時は、Ｘ線源はＣｕＫα線を用い、管電圧は４５ｋＶ、管電流は３６０ｍＡである。窒化ホウ素成形体も同様に測定を行った。
【００３４】
＜曲げ強さ＞
本発明の樹脂含浸窒化ホウ素焼結体を構成する窒化ホウ素焼結体の強度は、三点曲げ強さを用いた。三点曲げ強さは３〜４０ＭＰａが好ましい。三点曲げ強さが３ＭＰａより小さいと、窒化ホウ素粒子同士の３次元の結合面積が少なく、結果として樹脂含浸窒化ホウ素焼結体の熱伝導率が低下する。また、実装時の放熱材の破壊の原因となり、結果として電気絶縁性の低下、信頼性の低下を招く。一方４０ＭＰａより大きいと、窒化ホウ素粒子同士の結合面積が大きくなることを意味し、窒化ホウ素焼結体の空隙率が減少する。そのため、樹脂を窒化ホウ素焼結体の内部まで完全に含浸させることが困難となり、結果として樹脂含浸窒化ホウ素焼結体の強度及び電気絶縁性が低下する。曲げ強さは窒化ホウ素焼結体を作製する際の焼成温度及び等方圧加圧する際の圧力によって調整することができる。
窒化ホウ素焼結体の高さ方向に対して窒化ホウ素粒子の１００面（ａ軸）が配向した場合には、窒化ホウ素焼結体の高さ方向より測定した曲げ強さが３〜１５ＭＰａであることが、さらに好ましい。窒化ホウ素焼結体の高さ方向に対して窒化ホウ素粒子の００２面（ｃ軸）が配向した場合には、窒化ホウ素焼結体の高さ方向より測定した曲げ強さが１０〜４０ＭＰａであることが、さらに好ましい。
【００３５】
＜曲げ強さの評価方法＞
窒化ホウ素焼結体の曲げ強さは、ＪＩＳ−Ｒ１６０１に従って室温（２５℃）条件下で測定した。機器はＳＨＩＭＡＺＵ社製「オートグラフＡＧ２０００Ｄ」を用いた。樹脂含浸窒化ホウ素焼結体、窒化ホウ素成形体も同様に測定を行った。
【００３６】
＜熱伝導率評法＞
窒化ホウ素焼結体、窒化ホウ素成形体及び樹脂含浸窒化ホウ素焼結体の熱伝導率（Ｈ；Ｗ／（ｍ・Ｋ））は、熱拡散率（Ａ：ｍ２／ｓｅｃ）と密度（Ｂ：ｋｇ／ｍ３）、比熱容量（Ｃ：Ｊ／（ｋｇ・Ｋ））から、Ｈ＝Ａ×Ｂ×Ｃとして、算出した。熱拡散率は、測定用試料を幅１０ｍｍ×長さ１０ｍｍ×厚さ１．０ｍｍに加工し、レーザーフラッシュ法により求めた。測定装置はキセノンフラッシュアナライザ（「ＬＦＡ４４７ＮａｎｏＦｌａｓｈ」ＮＥＴＺＳＣＨ社製）を用いた。密度はアルキメデス法を用いて求めた。比熱容量は、ＤＳＣ（「ＴｈｅｒｍｏＰｌｕｓ  Ｅｖｏ  ＤＳＣ８２３０」リガク社製）を用いて求
めた。
【００３７】
＜ショア硬度及びその評価方法＞
本発明の樹脂含浸窒化ホウ素焼結体のショア硬度が２５ＨＳ以下であることが好ましい。ショア硬度が２５ＨＳの値を超えると、樹脂含浸窒化ホウ素焼結体が脆くなり、放熱部材として実装した際に締め付け及び挟み込みの応力による割れの原因となる。また、柔軟性に欠けるため界面抵抗が大きくなり熱抵抗の増大を招く。ショア硬度の測定は、例えば、（島津製作所社製  Ｄ型）を用いて測定できる。窒化ホウ素焼結体、窒化ホウ素成形体も同様に測定を行った。
【００３８】
＜熱抵抗及びその評価方法＞
本発明の特徴は、荷重９．８ｋｇｆ/ｃｍ３における熱抵抗が、０．７０℃／Ｗ以下であることである。熱抵抗が０．５０℃／Ｗを超えると、チップ温度の冷却が不十分となるため好ましくない。自動車用パワーモジュールの放熱部材として用いる場合、樹脂含浸窒化ホウ素焼結体の熱抵抗は小さければ小さいほど好ましい。界面熱抵抗が大きいと、レーザーフラッシュ法等により算出した熱伝導率と実装時の熱抵抗に大きな乖離が生じ、実装時の熱伝導率の値が低くなる。更に、従来まで実装時は界面熱抵抗を緩和するために基板との界面に放熱グリースを塗布するが、放熱グリースの存在により熱伝導率の低減が懸念される。本発明では、貫通穴を有し、貫通穴の部位が樹脂で充填された樹脂含浸窒化ホウ素焼結体の高さ方向から測定したショア硬度が２５ＨＳ以下であり、柔軟性に富み界面抵抗が小さいため、放熱グリースが不要となる。
本発明の貫通穴を有し、貫通穴の部位が樹脂で充填された樹脂含浸窒化ホウ素焼結体の熱抵抗測定は、ＡＳＴＭ−Ｄ５４７０に準拠して測定し、本測定の熱抵抗値はバルクの熱抵抗と接触面の界面熱抵抗を含んだ値となっている。試料サイズは１０ｍｍ×１０ｍｍ、厚さ０．３ｍｍを用い、荷重は９．８ｋｇｆ／ｃｍ３の条件下で測定を行った。熱抵抗値は（Ｔ：℃／Ｗ）は、温度差（Ｄ：℃）と電力（Ｅ：Ｗ）から、Ｔ＝Ｄ／Ｅとして、算出した。
【００３９】
＜接着強度及びその評価方法＞
本発明の特徴は、引っ張りせん断接着強度が１０ＭＰa以上でることである。引っ張りせん断接着強度が１０ＭＰa以下となると、剥離が生じ発熱体との密着性が低下することで、放熱が効率よくおこなわれないためにチップ温度の冷却が不十分となるため好ましくない。
本発明の貫通穴を有し、貫通穴の部位が樹脂で充填された樹脂含浸窒化ホウ素焼結体の引っ張りせん断接着強度測定はＪＩＳ Ｋ ６８５０に準拠し銅との引っ張りせん断接着強度を算出している。
【００４０】
＜窒化ホウ素純度及びその評価方法＞
更に、本発明の窒化ホウ素焼結体、窒化ホウ素成形体においては、その窒化ホウ素純度が９５質量％以上であることが好ましい。窒化ホウ素純度は、窒化ホウ素粉末をアルカリ分解後ケルダール法による水蒸気蒸留を行い、留出液中の全窒素を中和適定することによって測定することができる。
【００４１】
＜窒化ホウ素粉末の平均粒径の定義・評価方法＞
窒化ホウ素焼結体の出発原料となる窒化ホウ素粉末の平均粒径は、レーザー回折光散乱法による粒度分布測定において、累積粒度分布の累積値５０％の粒径である。粒度分布測定機としては、例えば「ＭＴ３３００ＥＸ」（日機装社製）にて測定することができる。測定に際しては、溶媒には水、分散剤としてはヘキサメタリン酸を用い、前処理として、３０秒間、ホモジナイザーを用いて２０Ｗの出力をかけて分散処理させた。水の屈折率には１．３３、窒化ホウ素粉末の屈折率については１．８０を用いた。一回当たりの測定時間
は３０秒である。
【００４２】
＜窒化ホウ素焼結体の焼結条件＞
本発明の窒化ホウ素焼結体は、１６００℃以上で１時間以上焼結させて製造することが好ましい。焼結を行わないと、気孔径が小さく、樹脂の含浸が困難となる。焼結温度が１６００℃より低いと、窒化ホウ素の結晶性が十分向上せず、樹脂含浸窒化ホウ素焼結体の熱伝導率が低下する恐れがある。焼結温度の上限については、特に制限はないが、経済性を考慮すると上限としては、２２００℃程度が実際的である。また、焼結時間が１時間より小さいと、窒化ホウ素の結晶性が十分向上せず、窒化ホウ素焼結体の熱伝導率が低下する恐れがある。焼結時間の上限については、特に制限はないが、経済性を考慮すると上限としては、３０時間程度が実際的である。また、焼結は、窒化ホウ素焼結体の酸化を防止する目的で、窒素又はヘリウム又はアルゴン雰囲気下で行うことが好ましい。
【００４３】
＜窒化ホウ素焼結体製造時の昇温速度＞
本発明の窒化ホウ素焼結体の焼結工程おいては、３００〜６００℃までの昇温速度を４０℃／分以下とすることが好ましい。昇温速度が４０℃／分より大きいと、有機バインダーの急激な分解により窒化ホウ素粒子の焼結性に分布が生じ、特性にバラつきが大きくなり信頼性が低下する恐れがある。昇温速度の上限については、特に制限はないが、経済性を考慮すると下限としては、５℃／分程度が実際的である。
【００４４】
＜樹脂との複合＞
次に、窒化ホウ素焼結体と樹脂との複合方法について説明する。本発明の樹脂含浸窒化ホウ素焼結体は、窒化ホウ素焼結体に樹脂を含浸し、硬化させることで好適に製造することができる。樹脂の含浸は、真空含浸、３〜３００ＭＰａでの加圧含浸、室温〜１５０℃までの加熱含浸又はそれらの組合せの含浸で行うことができる。真空含浸時の圧力は、１０００Ｐａ以下が好ましく、１００Ｐａ以下が更に好ましい。加圧含浸では、圧力１ＭＰａ以下では窒化ホウ素焼結体の内部まで樹脂が十分含浸できず、３００ＭＰａ以上では設備が大規模になるためコスト的に不利である。樹脂の粘度を低下させることで、窒化ホウ素焼結体の内部まで樹脂を含浸させることができるので、加圧時に３０〜３００℃に加熱して、樹脂の粘度を低下させることが更に好ましい。
【００４５】
＜含浸用樹脂＞
樹脂としては、例えばエポキシ樹脂、シリコーン樹脂、シリコーンゴム、アクリル樹脂、フェノール樹脂、メラミン樹脂、ユリア樹脂、不飽和ポリエステル、フッ素樹脂、ポリイミド、ポリアミドイミド、ポリエーテルイミド等のポリアミド、ポリブチレンテレフタレート、ポリエチレンテレフタレート等のポリエステル、ポリフェニレンエーテル、ポリフェニレンサルファイド、全芳香族ポリエステル、ポリスルホン、液晶ポリマー、ポリエーテルスルホン、ポリカーボネート、マレイミド変性樹脂、ＡＢＳ樹脂、ＡＡＳ（アクリロニトリル−アクリルゴム・スチレン）樹脂、ＡＥＳ（アクリロニトリル・エチレン・プロ
ピレン・ジエンゴム−スチレン）樹脂、ポリグリコール酸樹脂、ポリフタルアミド、ポリアセタール等を用いることができる。特にエポキシ樹脂は、耐熱性と銅箔回路への接着強度が優れていることから、プリント配線板の絶縁層として好適である。また、シリコーン樹脂は耐熱性、柔軟性及びヒートシンク等への密着性が優れていることから熱インターフェース材として好適である。これら樹脂、特に熱硬化性樹脂には適宜、硬化剤、無機フィラー、シランカップリング剤、さらには濡れ性やレベリング性の向上及び粘度低下を促進して加熱加圧成形時の欠陥の発生を低減する添加剤を含有することができる。この添加剤としては、例えば、消泡剤、表面調整剤、湿潤分散剤等がある。また、樹脂が、酸化アルミニウム、酸化ケイ素、酸化亜鉛、窒化ケイ素、窒化アルミニウム、水酸化アルミニウムの群から選ばれた１種又は２種以上のセラミックス粉末を含むと一層好ましい。窒化ホウ素粒子間に、セラミックス粒子を充填することができるので、結果として窒化ホウ素樹脂成形体の熱伝導率を向上させることができる。樹脂及びセラミックス粉末含有樹脂は、必要に応じて溶剤で希釈して使用しても良い。溶剤としては、例えば、エタノール及びイソプロパノール等のアルコール類、２−メトキシエタノール、１−メトキシエタノール、２−エトキシエタノール、１−エトキシ−２−プロパノール、２−ブトキシエタノール、２−（２−メトキシエトキシ）エタノール、２−（２−エトキシエトキシ）エタノール及び２−（２−ブトキシエトキシ）エタノール等のエーテルアルコール類、エチレングリコールモノメチルエーテル、エチレングリコールモノブチルエーテル等のグリコールエーテル類、アセトン、メチルエチルケトン、メチルイソブチルケトン及びジイソブチルケトンケトン等のケトン類、トルエン及びキシレン等の炭化水素類が挙げられる。なお、これらの希釈剤は、単独で使用しても、２種以上を混合して使用してもよい。
【００４６】
＜貫通穴を有する樹脂含浸窒化ホウ素焼結体＞
本発明の貫通穴を有する樹脂含浸窒化ホウ素焼結体について説明する。本発明の貫通穴を有する樹脂含浸窒化ホウ素焼結体は、窒化ホウ素焼結体にマシニングセンター（森精機社製）を用いソリッドドリル（菱高精機社製）等により穴をあけた後、窒化ホウ素焼結体に接着性を有する樹脂を含浸し、５０％硬化させ、半硬化状態の樹脂含浸窒化ホウ素焼結体を得た後、マルチワイヤーソー等の装置を用い、任意の厚さに切り出した板状の樹脂含浸窒化ホウ素焼結体を用いることにより、好適に製造することができる。また、窒化ホウ素焼結体に樹脂を含浸し、硬化させ、樹脂含浸窒化ホウ素焼結体を得た後、マシニングセンター（森精機社製）を用いソリッドドリル（菱高精機社製）等により穴をあけマルチワイヤーソー等の装置を用い、任意の厚さに切り出したのち穴の部分に接着性を有する樹脂を流し込み５０％硬化させた板状の樹脂含浸窒化ホウ素焼結体を用いることにより、好適に製造することができる。ここで、銅またはアルミニウム等の金属との接着性を有し、且つハンドリング性を持たせるために樹脂の硬化割合を５０％程度に保つ必要がある。マルチワイヤーソー等の加工装置を用いることにより、任意の厚さに対して大量に切り出す事が可能となり、切削後の面粗度も良好な値を示す。また、切り出しの際、樹脂含浸窒化ホウ素焼結体の向きを変えることで任意の方向に対して優位な熱伝導率を有した板状の樹脂含浸窒化ホウ素焼結体を得ることも容易である。また、貫通穴径は０．０３ｍｍ〜２．０ｍｍが好ましい。０．０３ｍｍ以下は加工上困難であり、２．０ｍｍ以上であると窒化ホウ素焼結体の強度が著しく低下し割れ・欠けを招き放熱材の破壊の原因となり、また加熱冷却の放熱を繰り返すうちに樹脂含浸窒化ホウ素焼結体と樹脂の界面に熱膨張差から空隙が生じ、結果として電気絶縁性の低下、信頼性の低下を招く。さらに、樹脂部と窒化ホウ素焼結体の表面凹凸が大きくなり界面抵抗が大きくなり、結果として熱抵抗の増加を招く。加えて、貫通穴を有する樹脂含浸窒化ホウ素焼結体の平面方向の断面観察において、貫通穴の総面積Ｓｅと貫通穴を含む樹脂含浸窒化ホウ素焼結体の総面積Ｓｂとの比（Ｓｅ／Ｓｂ）が０．３〜０．７であることが好ましい。Ｓｅ／Ｓｂが０．３以下であると前記引っ張りせん断接着強度が１０ＭＰａ以下となる可能性があり、剥離が生じ発熱体との密着性が低下することで、放熱が効率よくおこなわれないためにチップ温度の冷却が不十分となる可能性がある。Ｓｅ／Ｓｂが０．７以上であると、放熱に優れる樹脂含浸窒化ホウ素焼結体部が少なくなり、放熱性が低下する可能性がある。
【００４７】
貫通穴を開けた樹脂含浸窒化ホウ素焼結体は、樹脂含浸窒化ホウ素焼結体の上面と底面が平らな形状であればよく、板状、円盤状等の形状のものを使用することができる。樹脂含浸窒化ホウ素焼結体の厚さは、好ましくは、０．１５〜１．５０ｍｍである。
【００４８】
＜接着用樹脂＞
樹脂としては接着性を有するものであれば何でもよく、例えばエポキシ樹脂、シリコーン樹脂、シリコーンゴム、アクリル樹脂、フェノール樹脂、メラミン樹脂、ユリア樹脂、不飽和ポリエステル、ポリイミド、ポリアミドイミド、ポリエーテルイミド等のポリアミド、ポリブチレンテレフタレート、ポリエチレンテレフタレート等のポリエステル、ポリフェニレンエーテル、ポリフェニレンサルファイド、全芳香族ポリエステル、ポリスルホン、液晶ポリマー、ポリエーテルスルホン、ポリカーボネート、マレイミド変性樹脂、ＡＢＳ樹脂、ＡＡＳ（アクリロニトリル−アクリルゴム・スチレン）樹脂、ＡＥＳ（アクリロニトリル・エチレン・プロピレン・ジエンゴム−スチレン）樹脂、ポリグリコール酸樹脂、ポリフタルアミド、ポリアセタール等を用いることができる。特にエポキシ樹脂は、耐熱性と銅箔回路への接着強度が優れていることから接着用樹脂として好適である。これら樹脂、特に熱硬化性樹脂には適宜、硬化剤、無機フィラー、シランカップリング剤、さらには濡れ性やレベリング性の向上及び粘度低下を促進して加熱加圧成形時の欠陥の発生を低減する添加剤を含有することができる。この添加剤としては、例えば、消泡剤、表面調整剤、湿潤分散剤等がある。無機フィラーとしては絶縁性の無機フィラーであり、熱伝導性に優れるものであればどのようなものでも構わない。例えば、酸化アルミニウム、酸化ケイ素、酸化亜鉛、窒化ケイ素、窒化アルミニウム、水酸化アルミニウムの群等が挙げられる。
【実施例】
【００４９】
以下、本発明を実施例、比較例をあげて更に具体的に説明する。
＜窒化ホウ素焼結体の作製＞
酸素含有量１．５％、窒化ホウ素純度９７．６％、平均粒径６．０μｍであるアモルファス窒化ホウ素粉末、酸素含有量０．３％、窒化ホウ素純度９９．０％、平均粒径１８．０μｍ又は３０．０μｍである六方晶窒化ホウ素粉末を、ヘンシェルミキサーを用いて混合粉を作製した。そして、この成形用の混合粉末を用いて、５ＭＰａでブロック状にプレス成形した。得られたブロック成形体をバッチ式高周波炉にて窒素流量１０Ｌ／ｍｉｎで焼結させることで窒化ホウ素焼結体を得た。一部の実験条件においては、焼結前のブロック成形体に対して、冷間等方圧加圧法（ＣＩＰ）により１０〜１００ＭＰａの間で加圧処理を行った。窒化ホウ素焼結体Ａ〜Ｊの評価物性等を表１に示す。
【００５０】
＜エポキシ樹脂の真空含浸＞
得られた窒化ホウ素焼結体Ａ〜Ｊへ樹脂含浸を行った。エポキシ樹脂（「ｅｐ８０７」三菱化学社製）と硬化剤（「ＴＤ２１３１」ＤＩＣ社製）を当量混合させ、硬化促進剤を所定量添加した混合樹脂を圧力１００Ｐａの真空中で１０分間脱気した後、真空下で窒化ホウ素焼結体に注ぎ込み、２０分間含浸した。その後、大気圧下で、温度１５０℃で６０分間加熱して樹脂を硬化させ、一辺の長さが約５０ｍｍの立方体の樹脂含浸窒化ホウ素焼結体を得た。
【００５１】
＜貫通穴を有する板状樹脂含浸窒化ホウ素焼結体の作製＞
得られた樹脂含浸窒化ホウ素焼結体に、マシニングセンターを用いてドリルにて貫通穴の加工を行った。その後、マルチワイヤーソー又はマシニングセンターを用いて、厚さ０．３ｍｍの板状に加工を行った。この際、厚さ方向に対して窒化ホウ素粒子の１００面（ａ軸）もしくは００２面（ｃ軸）が配向するように切り出した。得られた板状の樹脂含浸窒化ホウ素焼結体の穴部にエポキシ樹脂（「ｅｐ８０７」三菱化学社製）と硬化剤（「ＭＥＨ８００５」明和化成社製）を当量混合させ、表面調整剤及び硬化促進剤を所定量添加した接着性を有する樹脂を流し込み、樹脂の硬化状態が５０％となるよう熱処理を行い、銅板を両主面に２．０ＭＰａの加圧条件下にて１２０℃で６０分間、１７０℃で４時間熱処理することで接着を行い、測定試料を得た。なお、熱処理の時間は示差走査熱量測定によりは発熱ピークが５０％となる熱処理時間によって決定した。貫通穴を有する板状樹脂含浸窒化ホウ素焼結体の熱伝導率及びショア硬度測定のために銅板を張り付けていない試料も作製した。また、窒化ホウ素焼結体の特性値を示す為に、樹脂含浸窒化ホウ素焼結体を厚さ方向に対して窒化ホウ素粒子の１００面（ａ軸）もしくは００２面（ｃ軸）が配向するように切り出し空気中１０００℃で１ｈｒ焼成し、樹脂成分を灰化させて貫通穴のない窒化ホウ素成型体を得た。
【００５２】
本発明の窒化ホウ素焼結体と窒化ホウ素成型体は、窒化ホウ素粒子の平均長径、高さ方向に対する窒化ホウ素粒子の１００面（ａ軸）又は００２面（ｃ軸）の配向、気孔率、Ｉ．Ｏ．Ｐ．、粉末Ｘ線回折法による黒鉛化指数、ショア硬度が同じであった。また、本発明の窒化ホウ素焼結体と窒化ホウ素成型体は、高さ方向に対して窒化ホウ素粒子の１００面（ａ軸）が配向した時の高さ方向より測定した曲げ強さ及び熱伝導率と、高さ方向に対して窒化ホウ素粒子の００２面（ｃ軸）が配向した時の高さ方向より測定した曲げ強さ及び熱伝導率が同じであった。
【００５３】
【表１】
2015124122.tif 000003
【００５４】
【表２】
2015124122.tif 000004
【００５５】
実施例と比較例の対比から明らかなように、本発明の貫通穴を有し、貫通穴の部位が樹脂で充填された樹脂含浸窒化ホウ素焼結体を用いた放熱部材は、放熱性に優れた物性を示している。また、接着性においても高い接着強度を実現している。
【産業上の利用可能性】
【００５６】
本発明の貫通穴を有し、貫通穴の部位が樹脂で充填された樹脂含浸窒化ホウ素焼結体を用いた放熱部材は、パワーデバイスなどの発熱性電子部品の放熱部材として好適に用いられ、特にプリント配線板の絶縁層、熱インターフェース材及び自動車用インホイールモーターやパワーモジュールに用いることができる。
【符号の説明】
【００５７】
１  板状樹脂含浸窒化ホウ素焼結体
２  接着用樹脂
【図１】
2015124122.tif 000005